(57)【要約】【課題】計測データの第三者による不正利用を防止しながら、計測データの不正利用の実態を迅速に把握することが可能な計測データ管理装置を提供する。【解決手段】本願発明の計測データ管理装置は、ユーザからの要求に応じて収集された計測データを管理する計測データ管理装置であって、計測データ管理装置に予め登録された少なくとも１つのユーザのアドレス情報と、収集された計測データを記憶する記憶部と、ユーザからの要求に応じて、収集された計測データの少なくとも一部を用いて計測データレポートを作成する計測データ作成部と、計測データレポートを暗号キーで暗号化した暗号化計測データレポートと、暗号キーを提供する計測データ提供部とを備え、暗号キーは、アドレス情報に基づいて電子メールでユーザに提供される。【選択図】  図２
2020010087.tif 000002
【特許請求の範囲】
【請求項１】
ユーザからの要求に応じて収集された計測データを管理する計測データ管理装置であって、
前記計測データ管理装置に予め登録された少なくとも１つの前記ユーザのアドレス情報と、前記収集された計測データを記憶する記憶部と、
前記ユーザからの要求に応じて、前記収集された計測データの少なくとも一部を用いて計測データレポートを作成する計測データ作成部と、
前記計測データレポートを暗号キーで暗号化した暗号化計測データレポートと、前記暗号キーを提供する計測データ提供部と
を備え、
前記暗号キーは、前記アドレス情報に基づいて電子メールで前記ユーザに提供されること
を特徴とする計測データ管理装置。
【請求項２】
ユーザからの要求に応じて収集された計測データを管理する計測データ管理方法であって、
予め登録された少なくとも１つの前記ユーザのアドレス情報と、前記収集された計測データを記憶する記憶部を備えるコンピュータが、
前記ユーザからの要求に応じて、前記収集された計測データの少なくとも一部を用いて計測データレポートを作成するステップと、
前記計測データレポートを暗号キーで暗号化した暗号化計測データレポートと、前記暗号キーを提供するステップと
を実施し、
前記暗号キーは、前記アドレス情報に基づいて電子メールで前記ユーザに提供されること
を特徴とする計測データ管理方法。
【請求項３】
ユーザからの要求に応じて収集された計測データを管理する計測データ管理プログラムであって、
予め登録された少なくとも１つの前記ユーザのアドレス情報と、前記収集された計測データを記憶する記憶部を備えるコンピュータに、
前記ユーザからの要求に応じて、前記収集された計測データの少なくとも一部を用いて計測データレポートを作成するステップと、
前記計測データレポートを暗号キーで暗号化した暗号化計測データレポートと、前記暗号キーを提供するステップと
を実施させ、
前記暗号キーは、前記アドレス情報に基づいて電子メールで前記ユーザに提供されること
を特徴とする計測データ管理プログラム。
【発明の詳細な説明】
【技術分野】
【０００１】
本願発明は、遠隔に設置された計測データ収集装置において収集された計測データを管理する計測データ管理装置に関する。
【背景技術】
【０００２】
遠方にある商品倉庫の状態や製造工場の製造装置の状態をネットワーク経由で監視したり、遠方にある実験室における実験データをネットワーク経由で収集することにより、遠隔地にある装置等の状態を効率よくかつ低コストで管理することができる遠隔監視システムが提案されている。
【０００３】
遠隔監視システムでは、商品倉庫の状態や製造工場の製造装置の状態等を示す温度や電圧等の計測データをデータロガーと呼ばれる計測データ収集装置によって収集し、収集した計測データをネットワークを介して接続されたサーバに蓄積し管理するものである。ユーザは、サーバに蓄積されたデータの中から必要な計測データをダウンロードすることにより、商品倉庫の状態や製造工場の製造装置の状態等を監視することができる。
【０００４】
ここで、サーバに蓄積された計測データは電子データであるために第三者により無断でダウンロードされ、あるいは勝手に改ざんされる恐れがある。特許文献１では、計測データを画像情報に変換し、その画像情報に特定の認証データを電子透かしとして埋め込むことで、計測データの改ざんを検出して計測データの信頼性を向上させる方法が提案されている。
【先行技術文献】
【特許文献】
【０００５】
【特許文献１】特開２００４−３５００８５号公報
【発明の概要】
【発明が解決しようとする課題】
【０００６】
しかしながら、画像データに電子透かしを埋め込む方法では、画像情報に含まれる電子透かしを検出することにより、画像データの改ざんの有無を判定することはできるが、第三者によるデータの不正利用自体を防ぐことはできない。また、電子透かしは、画像情報の改ざんの有無を追跡調査し画像情報がどのように利用されたかを事後的に把握するものであるため、第三者によるデータの不正利用の実態を迅速に把握することができないという問題がある。
【０００７】
本願発明は、以上のような課題を解決するためになされたものであり、計測データの第三者による不正利用を防止しながら、計測データの不正利用の実態を迅速に把握することが可能な計測データ管理装置を提供することを目的とする。
【課題を解決するための手段】
【０００８】
上記課題を解決するために、本願発明の計測データ管理装置は、ユーザからの要求に応じて収集された計測データを管理する計測データ管理装置であって、前記計測データ管理装置に予め登録された少なくとも１つの前記ユーザのアドレス情報と、前記収集された計測データを記憶する記憶部と、前記ユーザからの要求に応じて、前記収集された計測データの少なくとも一部を用いて計測データレポートを作成する計測データ作成部と、前記計測データレポートを暗号キーで暗号化した暗号化計測データレポートと、前記暗号キーを提供する計測データ提供部とを備え、前記暗号キーは、前記アドレス情報に基づいて電子メールで前記ユーザに提供されることを特徴とする。
【０００９】
上記課題を解決するために、本願発明の計測データ管理方法は、ユーザからの要求に応じて収集された計測データを管理する計測データ管理方法であって、予め登録された少なくとも１つの前記ユーザのアドレス情報と、前記収集された計測データを記憶する記憶部を備えるコンピュータが、前記ユーザからの要求に応じて、前記収集された計測データの少なくとも一部を用いて計測データレポートを作成するステップと、前記計測データレポートを暗号キーで暗号化した暗号化計測データレポートと、前記暗号キーを提供するステップとを実施し、前記暗号キーは、前記アドレス情報に基づいて電子メールで前記ユーザに提供されることを特徴とする。
【００１０】
上記課題を解決するために、本願発明の計測データ管理プログラムは、ユーザからの要求に応じて収集された計測データを管理する計測データ管理プログラムであって、予め登録された少なくとも１つの前記ユーザのアドレス情報と、前記収集された計測データを記憶する記憶部を備えるコンピュータに、前記ユーザからの要求に応じて、前記収集された計測データの少なくとも一部を用いて計測データレポートを作成するステップと、前記計測データレポートを暗号キーで暗号化した暗号化計測データレポートと、前記暗号キーを提供するステップとを実施させ、前記暗号キーは、前記アドレス情報に基づいて電子メールで前記ユーザに提供されることを特徴とする。
【発明の効果】
【００１１】
本願発明によれば、計測データの第三者による不正利用を防止しながら、計測データの不正利用の実態を迅速に把握することが可能な計測データ管理装置を提供することが可能となる。
【図面の簡単な説明】
【００１２】
【図１】図１は、本願発明の実施の形態における計測データ管理装置が適用される遠隔監視システムの概要を示す図である。
【図２】図２は、本願発明の実施の形態における計測データ管理の概要を示す図である。
【図３】図３は、本願発明の実施の形態における計測データ管理装置の構成例を示す図である。
【図４】図４は、本願発明の実施の形態におけるユーザ情報、収集端末情報、計測データ情報の一例を示す図である。
【図５】図５は、本願発明の実施の形態における計測データレポートの一例を示す図である。
【図６】図６は、本願発明の実施の形態における計測データレポートの他の例を示す図である。
【図７】図７は、本願発明の実施の形態における計測データ管理方法のシーケンスの一例を示す図である。
【図８】図８は、本願発明の実施の形態における計測データ管理方法のフローチャートの一例を示す図である。
【発明を実施するための形態】
【００１３】
以下、本願発明を実施するための形態について説明する。
【００１４】
＜遠隔監視システムの概要＞
図１は、本願発明の実施の形態における計測データ管理装置が適用される遠隔監視システムの概要を示す図である。遠隔監視システム１は、電気製品等の状態や倉庫の状態等を表す計測データを収集する計測データ収集端末３０、収集された計測データを管理し、ユーザからの要求に応じて計測データを提供する計測データ管理装置１０、必要に応じて計測データの提供を要求し、提供された計測データを表示するユーザ端末２０から構成されている。
【００１５】
計測データ収集端末３０は、遠隔に設置された電気製品や計測装置の状態や遠隔地にある倉庫、工場、実験場の状態を表す計測データを収集して計測データ管理装置１０に提供する。計測データ収集端末３０は、予め設定された計測データの収集の計測項目、計測間隔等の条件に従って、計測データを収集して計測データ管理装置１０に提供する。
【００１６】
計測データ管理装置１０は、計測データ収集端末３０から受信した計測データを保存するとともに、予め設定された条件に従って、ユーザ端末２０に計測データに関わる計測データレポートを提供する。計測データレポートは、定期的に提供してもよいし、予め設定された計測データにおけるアラームの発生に応じて提供してもよく、ユーザ端末からの要求に応じて提供することもできる。
【００１７】
ここで、計測データレポートは、所定の暗号化キーで暗号化された状態でユーザ端末２０に提供される。計測データレポートを暗号化して提供することで、第三者が計測データレポートをダウンロードできたとしても、計測データの内容を表示することはできないので、計測データの第三者による不正利用を防止することができる。
【００１８】
計測データレポートの暗号化の際に用いた暗号キーもユーザ端末２０に提供される。暗号キーは、計測データ管理装置１０に予め登録されたユーザのアドレス情報に基づいて電子メールでユーザ端末２０に提供される。暗号キーを、予め登録されたユーザのアドレス情報に基づいて電子メールでユーザ端末に提供することで、暗号キーおよび暗号化データの秘匿性を高めることができる。
【００１９】
この暗号キーを含む電子メールは、計測データ管理装置１０に登録されたユーザ以外の第三者が不正に計測データレポートをダウンロードした場合でも、ユーザ端末に送信される。これにより、第三者が不正に計測データレポートをダウンロードした場合でも、ユーザは、暗号キーを含む電子メールを受け取ることで、第三者が計測データレポートをダウンロードしたことを迅速に把握することができる。
【００２０】
＜計測データ管理装置の概要＞
図２は、本願発明の実施の形態における計測データ管理の概要を示す図である。計測データ管理装置１０は、電気製品や倉庫の状態等を表す計測データを収集する計測データ収集端末３０、提供された計測データを表示するユーザ端末２０とネットワーク４０を介して接続されている。
【００２１】
メールアドレス、メール配信設定、暗号キー設定等の情報を含むユーザ情報は、計測データ管理装置１０の管理者によって、計測データ管理装置１０に登録される。メールアドレスは、暗号キーを送信する宛先アドレスであり、複数のメールアドレスを設定することもできる。メール配信設定は、暗号キーの配信を設定するための情報であり、必要に応じて、メール配信の有無を選択することができる。暗号キー設定は、暗号キーを設定するための情報であり、ランダム、固定値等の暗号キーを設定することができる。
【００２２】
これらのユーザ情報、特にメールアドレスの情報は、ユーザ端末や他の外部端末から計測データ管理装置１０に登録することはできない。メールアドレスの情報を予め計測データ管理装置に登録し、ユーザ端末や他の外部端末から登録できないようにすることで、暗号キーおよび暗号化データの秘匿性を高めることができる。
【００２３】
また、計測データ収集端末３０の収集端末情報は、ユーザ端末２０において入力され、入力された収集端末情報は、計測データ管理装置１０に送信され登録される。収集端末情報には、計測データ収集端末を設置するユーザの施設情報、設置される収集端末の属性情報、収集する計測項目等の情報を含むことができる。尚、収集端末情報を、予めユーザ端末２０に保存しておき、必要に応じて計測データ管理装置１０に送信するようにしてもよい。
【００２４】
計測データ収集端末３０は、遠隔に設置された電気製品や計測装置の状態や遠隔地にある倉庫、工場、実験場の状態を表す計測データを、予め設定された計測データの収集の計測項目、計測間隔等の条件に従って、収集して計測データ管理装置１０に提供する。計測データ情報には、計測時間情報、温度、湿度、電圧等の計測項目、および計測項目毎の計測データを含むことができる。なお、温度、湿度、電圧等の計測項目は例示であり、これらの情報の一部を含んでもよいし、他の情報を含むようにしてもよい。
【００２５】
計測データ管理装置１０は、予め登録したユーザ情報、ユーザ端末２０から受信した計測データ収集端末の収集端末情報、および計測データ収集端末３０から受信した計測データ情報を保存し管理する。
【００２６】
計測データ管理装置１０は、保存された計測データ情報を用いて計測データに関わる計測データレポートを作成し、ユーザ端末２０に提供する。計測データレポートは、定期的に提供してもよいし、予め設定されたアラームの発生に応じて提供してもよく、ユーザ端末からの要求に応じて提供することもできる。
【００２７】
例えば、１日毎に計測データの集計結果をレポートしておき、計測データが所定の閾値を超えたような場合等のアラーム発生時に計測データを含むレポートを配信することもできる。さらに、ユーザの要求に応じて、アラーム発生時の詳細な計測データやグラフ情報、アラームが発生した施設の地図情報等も併せて提供するようにしてもよい。
【００２８】
計測データレポートは、所定の暗号化キーで暗号化された状態でユーザ端末２０に提供され、暗号化の際に用いた暗号キーもユーザ端末２０に提供される。暗号キーは、計測データ管理装置１０に予め登録されたユーザのメールアドレスに基づいて電子メールでユーザ端末２０に提供される。
【００２９】
計測データレポートを暗号化して提供することにより、計測データの第三者による不正利用を防止し、暗号キーを、予め登録されたユーザのアドレス情報に基づいて電子メールでユーザ端末に提供することにより、暗号キーおよび暗号化データの秘匿性を高めることができる。
【００３０】
また、ユーザは、暗号キーを含む電子メールを受け取ることで、第三者が計測データレポートをダウンロードしたことを迅速に把握することができる。
【００３１】
＜計測データ管理装置の構成＞
図３は、本願発明の実施の形態における計測データ管理装置の構成例を示す図である。計測データ管理装置１０は、ユーザ情報等の情報管理、計測データレポートの作成、暗号化された計測データレポートの提供等を行う中央処理部１１、ユーザ端末２０、計測データ収集端末３０とネットワーク４０を介して通信を行うためのＩ／Ｆ部１５、およびユーザ情報等を記憶するための記憶部１６を備える。
【００３２】
中央処理部１１は、ユーザ等の情報を管理する情報管理部１２、計測データレポートの作成を行う計測データレポート作成部１３、および暗号化された計測データレポートの提供を行う計測データ提供部１４として動作する。記憶部１６には、ユーザ情報、収集端末情報、計測データの情報の他、作成した計測データレポートの情報が記憶されている。
【００３３】
情報管理部１２では、予め登録したユーザ情報、ユーザ端末２０から送信された計測データ収集端末の情報、および計測データ収集端末３０から受信した計測データ情報を保存し管理する。
【００３４】
なお、ユーザ情報、特に暗号キーを送信するためのメールアドレスの情報は予め計測データ管理装置１０に登録されており、ユーザ端末や他の外部端末から登録できないように構成されている。これにより、暗号キーおよび暗号化データの秘匿性を高めることができる。
【００３５】
計測データ作成部１３は、保存された計測データ情報を用いて計測データレポートを作成する。計測データレポートは、定期的に作成してもよいし、予め設定されたアラームの発生に応じて作成してもよく、ユーザ端末からの要求に応じて作成することもできる。また、計測データレポートの内容やフォーマットについても適宜設定することが可能であり、ユーザが作成したテンプレートに基づいてレポートを作成することもできる。
【００３６】
計測データ提供部１４は、計測データ管理装置１３で作成された計測データレポートを所定の暗号化キーで暗号化してユーザ端末２０に提供する。計測データレポートを暗号化して提供することにより、計測データの第三者による不正利用を防止する。この暗号キーは、計測データレポートを作成する毎にランダムに生成してもよいし、ユーザとの間で予め定めた固定の暗号キーを用いてもよい。暗号キーをランダムに生成するか固定とするかは、ユーザ情報に含まれる暗号キー設定により設定することができる。暗号キーの秘匿性を高めるためには、計測データのレポートを作成する毎に生成することが望ましい。
【００３７】
暗号キーは、ユーザ情報として予め登録されたユーザのメールアドレスの情報に基づいて電子メールでユーザ端末２０に提供される。暗号キーを、予め登録されたユーザのアドレス情報に基づいて電子メールでユーザ端末に提供することにより、暗号キーおよび暗号化データの秘匿性を高めることができる。
【００３８】
なお、計測データ管理装置１０は、記憶部、Ｉ／Ｆ部および中央処理部を備えたコンピュータによって構成してもよく、中央処理部１１における処理をプログラムによって実施するように構成してもよい。その場合には、中央処理部１１に予めそのプログラムを搭載しておいてもよく、あるいはプログラムを記憶部１６に記憶しておき、中央処理部１１にダウンロードするように構成してもよい。
【００３９】
＜ユーザ情報、収集端末情報、計測データ情報＞
図４は、本願発明の実施の形態におけるユーザ情報、収集端末情報、計測データ情報の一例を示す図である。
【００４０】
ユーザ情報は、ユーザ毎に、メールアドレス、メール配信設定、暗号キー設定等の情報を含むことができる。メールアドレスは、暗号キーを送信する宛先アドレスであり、複数のメールアドレスを設定することもできる。メール配信設定は、暗号キーの配信を設定するための情報であり、必要に応じて、メール配信の有無を選択することができる。暗号キー設定は、暗号キーを設定するための情報であり、ランダム、固定値等の暗号キーを設定することができる。
【００４１】
前述したように、暗号キーの秘匿性を高めるために、ユーザ情報、特にメールアドレスの情報は予め計測データ管理装置に登録されており、ユーザ端末や他の外部端末から登録できないように構成されている。
【００４２】
計測データ収集端末の情報には、ユーザ毎に、計測データ収集端末を設置するユーザの施設情報、設置される収集端末の属性情報、収集する計測項目等の情報を含むことができる。これらの情報は、必要に応じてユーザ端末から適宜設定することができる。
【００４３】
計測データ情報には、計測データ収集端末毎に、計測時間情報、温度、湿度、電圧等の計測項目、および計測項目毎の計測データを含むことができる。なお、計測項目は例示であり、これらの情報の一部を含んでもよいし、他の情報を含むようにしてもよい。
【００４４】
＜計測データレポート＞
図５、６を用いて、計測データ管理装置からユーザ端末に提供される計測データレポートを説明する。図５は、本願発明の実施の形態における計測データのレポートの一例を示す図である。
【００４５】
図５は、Ａ社のＸ事業所における所定の時間に計測された計測データを表示したものである。Ａ社のＸ事業所に設置された収集端末＃１−＃５によって収集された温度データ、湿度データ、および電圧データがそれらの計測時間とともに表示されている。また、各計測項目毎に累積値、平均値、最大値および最小値も表示することにより、計測データの概略を把握することができる。また、ユーザからの要求に応じて、レポートに表示する計測データの種別（日報、月報）や、抽出期間を設定することも可能である。
【００４６】
図６は、本願発明の実施の形態における計測データレポートの他の例を示す図である。図６の例は、図５と同様に、Ａ社のＸ事業所における所定の時間に計測された計測データを表示したものであるが、図５に表示した表形式のデータをグラフ形式で表示したものである。グラフ形式で表示することで計測データの傾向を視覚的に把握することが可能となる。
【００４７】
計測データのレポートの内容やフォーマットは、ユーザからの要求に応じて適宜設定、変更することが可能である。例えば、１日毎に図５のような表形式のレポートを提供しておき、計測データのアラーム発生時に、図６のようなグラフ形式のレポートを提供することができる。また、ユーザの要求に応じて、アラームが発生した施設の地図情報等も併せて提供するようにしてもよいし、ユーザが作成したテンプレートに基づいてレポートを作成することもできる。さらに、計測データ収集装置の設置場所に、監視カメラを設置し、監視カメラのストリーミング映像をユーザ端末に表示するようにしてもよい。
【００４８】
＜計測データレポートの提供処理のシーケンス＞
図７は、本願発明の実施の形態における計測データ管理方法のシーケンスの一例を示す図である。
【００４９】
ユーザ端末は、計測データ収集端末を設置するユーザの施設情報、設置される収集端末の属性情報、収集する計測項目等の情報を含む計測データ収集端末の収集端末情報を、計測データ管理装置に送信する。
【００５０】
計測データ管理装置には、メールアドレス、メール配信設定、暗号キー設定等の情報を含むユーザ情報が予め登録されている。暗号キーを提供するためのメールアドレスの情報を予め計測データ管理装置に登録し、ユーザ端末等の外部端末から登録できないようにすることで、暗号キーおよび暗号化データの秘匿性を高めることができる。計測データ管理装置は、ユーザ端末から受信した計測データ収集端末の収集端末情報、および計測データ収集端末から受信した計測データ情報を登録する。
【００５１】
計測データ管理装置は、保存された計測データ情報を用いて計測データレポートを作成し、ユーザ端末に提供する。計測データレポートは、定期的に提供してもよいし、予め設定されたアラームの発生に応じて提供してもよい。
【００５２】
図７では、ユーザ端末からの要求に応じて、計測データレポートを作成し、作成した計測データレポートは、ランダムに生成した暗号キーで暗号化された状態でユーザ端末に提供される。なお、定期的あるいはアラーム発生時の計測データレポートを暗号化して提供することもできる。
【００５３】
計測データレポートの暗号化の際に用いた暗号キーは、ユーザ情報として予め登録されたユーザのメールアドレスに基づいて電子メールでユーザ端末に提供される。暗号キーを、予め登録されたユーザのアドレス情報に基づいて電子メールでユーザ端末に提供することにより、暗号キーおよび暗号化データの秘匿性を高めることができる。
【００５４】
ユーザ端末では、電子メールで受信した暗号キーを用いて計測データを復号し、復号された計測データを表示する。
【００５５】
＜計測データレポートの提供処理のフローチャート＞
図８は、本願発明の実施の形態における計測データ管理方法のフローチャートの一例を示す図である。
【００５６】
計測データ管理装置には、メールアドレス、メール配信設定、暗号キー設定等の情報を含むユーザ情報が予め登録され（Ｓ１−１）、ユーザ端末から受信した計測データ収集端末の情報、および計測データ収集端末から受信した計測データ情報を登録する（Ｓ１−２〜Ｓ１−５）。
【００５７】
計測データ管理装置は、保存された計測データ情報を用いて、定期的にあるいは予め設定されたアラームの発生に応じて作成された計測データレポートをユーザ端末に提供する（Ｓ１−６、Ｓ１−７）。
【００５８】
計測データ管理装置は、ユーザ端末からの要求に応じて、計測データレポートを作成し、（Ｓ１−８、Ｓ１−９）、ランダムに生成した暗号キーを用いて暗号化してユーザ端末に提供する（Ｓ１−１０〜Ｓ１−１２）。
【００５９】
計測データレポートの暗号化の際に用いた暗号キーは、ユーザ情報として予め登録されたユーザのメールアドレスに基づいて電子メールでユーザ端末に提供される（Ｓ１−１３、Ｓ１−１４）。
【００６０】
以上説明したように、本実施の形態における計測データ管理装置は、計測データレポートを暗号化して提供することで、計測データの第三者による不正利用を防止することができる。この暗号キーは、予め登録されたユーザのアドレス情報に基づいて電子メールでユーザ端末に提供されるので、暗号キーおよび暗号化データの秘匿性を高めることができる。
【００６１】
また、第三者が計測データレポートを不正にダウンロードした場合でも、ユーザは、暗号キーを含む電子メールを受け取ることで、第三者が計測データレポートをダウンロードしたことを迅速に把握することができる。
【産業上の利用可能性】
【００６２】
本願発明は、遠隔に設置された計測データ収集装置において収集された計測データを用いて遠隔地の工場や遠隔地に設置された装置を遠隔監視するシステムに利用することができる。
【符号の説明】
【００６３】
１…遠隔監視システム、１０…計測データ管理装置、１１…中央処理部、１２…情報管理部、１３…計測データレポート作成部、１４…計測データレポート提供部、１５…Ｉ／Ｆ部、１６…記憶部、２０…ユーザ端末、３０…計測データ収集端末、４０…ネットワーク。
【図１】
2020010087.tif 000003
【図２】
2020010087.tif 000004
【図３】
2020010087.tif 000005
【図４】
2020010087.tif 000006
【図５】
2020010087.tif 000007
【図６】
2020010087.tif 000008
【図７】
2020010087.tif 000009
【図８】
2020010087.tif 000010